(57)【要約】【課題】仮設設備に取り付けて使用したときに、仮設設備の内部から冷気或いは暖気の漏れの発生を低減するエアコン据付台、エアコン装置、及びエアコン付テントユニットを提供すること。【解決手段】エアコン据付台１は、接地面Ｌに設置すると、接地面Ｌと略平行な平面部が形成されるベース部２と、ベース部２に接続され幅方向に延びる立設部３と、ベース部２、又は立設部３に繋がる袖部５を備える。ベース部２にエアコン室外機２１が据付けられたとき、エアコン室外機２１と立設部３との間に、ベース部２の上側面２ａを下端とし上下方向の上側が開放された幅方向に延びる溝部４が形成される。袖部５は、ベース部２における幅方向の一方の側と他方の側にあり、立設部３に沿う方向であって、幅方向と上下方向とに延びる袖面５ａが形成されている。【選択図】図１
2020193718.tif 000002
【特許請求の範囲】
【請求項１】
接地面に設置すると、前記接地面と略平行な平面部が形成されるベース部と、
前記ベース部に接続され、上下方向の上側と、前記上下方向と直交する方向である幅方向に延びる立設部と、
前記ベース部、又は前記立設部に繋がる袖部を備え、
前記ベース部は、前後方向の前側にエアコン室外機を据付可能であり、
前記立設部は、前記前後方向の後側にエアコン室内機を据付可能であり、
前記ベース部に前記エアコン室外機が据付けられたとき、前記エアコン室外機と前記立設部との間に、前記ベース部の上側面を下端とし前記上下方向の上側が開放された前記幅方向に延びる溝部が形成され、
前記袖部は、前記ベース部における前記幅方向の一方の側と他方の側にあり、前記立設部に沿う方向であって、前記幅方向と前記上下方向とに延びる袖面が形成され、
前記袖部は、前記上下方向において、上側の第一袖端部が前記ベース部の前記上側面以上の高さであり、下側の第二袖端部が前記ベース部の前記上側面よりも下側であって前記接地面に接触するか或いは前記接地面に近接し、
前記袖部は、前記幅方向において、第三袖端部は前記ベース部の前記幅方向の端部に接触するか或いは近接し、第四袖端部は前記ベース部の前記幅方向の端部から遠ざかる方向に所定の長さで延び、
前記袖面は、前記前後方向において、前記立設部の後側と前記溝部が形成されたときの前記溝部の前側との間に位置することを特徴とするエアコン据付台。
【請求項２】
前記立設部における前記前後方向の前側に近接し、前記ベース部の前記上側面、又は前記立設部の前記前側に樋部が備えられ、
前記樋部は、前記ベース部の前記上側面よりも前記上下方向の上側にあって、前記立設部に沿って前記幅方向に延び、少なくとも一部は前記前後方向における断面がコの字状に形成され、
前記袖部は、前記樋部の前記幅方向における端部と接続されることを特徴とする請求項１に記載のエアコン据付台。
【請求項３】
前記袖部は、前記樋部と接続される袖部接続部を備え、
前記袖部接続部と、前記袖面のうち、前記第三袖端部と前記第二袖端部は、前記前後方向における断面がコの字状に形成されていることを特徴とする請求項２に記載のエアコン据付台。
【請求項４】
前記袖部は、前記ベース部、又は前記立設部に対して着脱可能であり、
前記袖部は、前記立設部に取り付けられる袖部取付部を備え、
前記立設部は、前記前後方向の前側に前記袖部を取り付ける補助取付部を備え、
前記袖部は、前記補助取付部に取り付けられたとき、前記幅方向において前記立設部の内部に収まることを特徴とする請求項１から３のいずれかに記載のエアコン据付台。
【請求項５】
前記ベース部又は前記立設部の少なくとも一方は、アルミ製の角材による枠組みと、前記枠組みの表面に取り付けられた磁性材料を含むプレートによって形成されたことを特徴とする請求項１から４のいずれかに記載のエアコン据付台。
【請求項６】
前記ベース部の前記上下方向の下側にキャスター部を備え、
前記ベース部は、前記前後方向における前記袖面の位置よりも後側において、前記幅方向の端部と前記前後方向の後側の端部に袴部が形成され、
前記袴部は、前記ベース部の前記上下方向における下端部と前記接地面との間の隙間を塞ぐように、前記ベース部から前記接地面に向かって延びるよう形成されたことを特徴とする請求項１から５のいずれかに記載のエアコン据付台。
【請求項７】
請求項１から６のいずれかに記載のエアコン据付台と、
前記エアコン据付台の前記ベース部において、前記前後方向の前側に据え付けられた前記エアコン室外機と、
前記エアコン据付台の前記立設部において、前記前後方向の後側に据付けられた前記エアコン室内機と、
前記エアコン室外機と前記エアコン室内機とに接続された配管とを備え、
前記配管の一端は、前記エアコン室内機における前記幅方向の一方の側に接続され、
前記配管の他端は、前記エアコン室外機における前記幅方向の他方の側に接続され、
前記配管は、少なくとも一部が前記ベース部の前記上側面よりも下側に通されることを特徴とするエアコン装置。
【請求項８】
請求項７に記載のエアコン装置と、
前記エアコン装置が取り付けられる仮設設備からなり、
前記仮設設備は、隔壁部を備え、前記隔壁部の前記前後方向の後側に囲われた空間が形成され、
前記隔壁部は、前記溝部のうち、前記立設部と前記袖面よりも前記前後方向の前側に挿入され、隔壁部下端と前記ベース部の前記幅方向の端部との間で隙間が形成されたとき、
前記隙間は、前記袖部によって覆われることを特徴とするエアコン付仮設設備。
【請求項９】
請求項７に記載のエアコン装置と、
前記エアコン装置が取り付けられる仮設設備からなり、
前記仮設設備は、隔壁部と、前記隔壁部の一部に開閉部を備え、前記隔壁部の前記前後方向の後側に囲われた空間が形成され、
前記開閉部が開かれたときに開口部が形成され、
前記開口部は、前記幅方向に所定の長さを有し、前記上下方向において前記接地面から前記上下方向の上側に向かって所定の高さを有し、
前記開口部の前記幅方向における長さは、前記立設部の前記幅方向の長さよりも長く、前記袖部における二つの前記幅方向の端と端とを結ぶ長さよりも短く、
前記開口部の前記上下方向の高さは、前記立設部又は前記エアコン室外機よりも高く形成され、
前記開閉部は、前記上下方向に開閉可能であり、
前記エアコン装置は、前記開閉部が開かれた状態で前記仮設設備に挿入され、
前記開閉部は、前記溝部に挿入され、開閉部下端と前記ベース部の前記幅方向の端部、及び前記開口部のうちの前記幅方向の端部との間で隙間が形成されたとき、
前記隙間は、前記袖部によって覆われることを特徴とするエアコン付仮設設備。
【発明の詳細な説明】
【技術分野】
【０００１】
本発明は、テント或いは仮設の店舗、事務所等の空間を作り出す仮設の設備に適する、エアコン据付台、エアコン装置、及びエアコン付仮設設備に関する。
【背景技術】
【０００２】
従来、テント等の仮設の設備に対して、エアコンを取り付けたいというニーズは高く、テント等に適したエアコン装置が提案されている。例えば、特許文献１は以下のように提案されている。従来例を示した図１１及び図１２を参照して説明する。なお、図１１及び図１２に付した符号は特許文献１に記載された符号では無く、新たに符号を付して本発明と区別するために符号の先頭にＰｒ−の文字を追加して記載する。
【０００３】
図１１及び図１２に示すように、冷媒を加圧する圧縮機と、加圧した高温高圧の冷媒を冷却して液化するための第１熱交換器と、該第１熱交換器内に空気を通過させる送風機とを収納した枠体Ｐｒ−２１を備える。第１熱交換器からキャピラリを介して送られる液化冷媒の気化熱を取り出すと共に気化した冷媒を圧縮機に戻す第２熱交換器と、該第２熱交換器内に空気を通過させて冷風を作り出す対流送風機とを収納した第２の枠体Ｐｒ−２２を備える。
【０００４】
枠体Ｐｒ−２１と第２の枠体Ｐｒ−２２とを設置するための共通のベースＰｒ−２と、枠体Ｐｒ−２１と第２の枠体Ｐｒ−２２との間で冷媒を循環させるためにベースＰｒ−２に沿って配設された２本の冷媒配管Ｐｒ−８とを備える。枠体Ｐｒ−２１と第２の枠体Ｐｒ−２２との間に仮設設備の隔壁Ｐｒ−３２を位置させる仮設設備用のエアコン装置において、第２の枠体Ｐｒ−２２を設置するためにベースＰｒ−２から支柱Ｐｒ−３を立設する。その支柱Ｐｒ−３には仮設設備の内側に向けて第２の枠体Ｐｒ−２２が取り付けられ、その第２の枠体Ｂは対流送風機Ｐｒ−２２０への吸入口Ｐｒ−２２０ａ及び吐出口Ｐｒ−２２０ｂのない側面を枠体Ｐｒ−２１に向けて位置している。
【０００５】
ベースＰｒ−２に設置された枠体Ｐｒ−２１は、送風機への吸入口Ｐｒ−２１ａを第２の枠体Ｐｒ−２２側に配置し、その吸入口Ｐｒ−２１ａとは反対側に吐出口Ｐｒ−２１ｂを位置させている。枠体Ｐｒ−２１と第２の枠体Ｐｒ−２２との間に配置する仮設設備の隔壁Ｐｒ−３２はシートで構成し、枠体Ｐｒ−２１と支柱Ｐｒ−３との間には枠体Ｐｒ−２１の吸入口Ｐｒ−２１ａと対向する位置に仕切り部を備えた仕切り部材Ｐｒ−８０をベースＰｒ−２から立設し、仮設設備を構成するシートからなる隔壁Ｐｒ−３２を仕切り部材Ｐｒ−８０と第２の枠体Ｐｒ−２２との隙間に配置する。
【０００６】
さらに、ベースＰｒ−２から立設した仕切り部材Ｐｒ−８０の二本の柱Ｐｒ−８０ａには隔壁Ｐｒ−３２を、第２の枠体Ｐｒ−２２を取り付ける支柱Ｐｒ−３に向けて押し付ける板ばねＰｒ−Ｓｐを設置し、隔壁Ｐｒ−３２が仕切り部材Ｐｒ−８０の仕切り部と板ばねＰｒ−Ｓｐによって枠体Ｐｒ−２１の吸入口Ｐｒ−２１ａに吸着できないようにすることを特徴とするシートを使う仮設設備のためのエアコン装置である。
【０００７】
この発明では一つのベースＰｒ−２の上に間隔をあけてエアコンを構成する二つの枠体Ｐｒ−２１、Ｐｒ−２２を設置し、二つの枠体Ｐｒ−２１、Ｐｒ−２２はベースＰｒ−２に沿って配設した冷媒配管Ｐｒ−８で接続するものである。よって、このエアコン装置は、ベースＰｒ−２ごと二つの枠体Ｐｒ−２１、Ｐｒ−２２を移動して、仮設設備の隔壁Ｐｒ−３２が位置することになる場所に設置できるようになり、仮設設備用のエアコンとして非常に取り扱いやすいものである。
【先行技術文献】
【特許文献】
【０００８】
【特許文献１】特許４０１２９５９号公報
【発明の概要】
【発明が解決しようとする課題】
【０００９】
しかしながら、従来例の特許文献１には以下の問題があった。すなわち、図１２に示すように、テントを構成する隔壁Ｐｒ−３２を外から見たとき（図１１における断面Ｊ−Ｊ）、支柱Ｐｒ−３と隔壁Ｐｒ−３２とベースＰｒ−２、及び接地面Ｌである地面に繋がる箇所で略三角形状の隙間Ｐｒ−Ｇａｐが発生してしまう。これは、隔壁Ｐｒ−３２が一定の厚みと剛性を有するために生じるものであり、例えばテント室内の冷気あるいは暖気がこの隙間Ｐｒ−Ｇａｐから外部へもれてしまうという問題があった。
【００１０】
本発明の目的は、従来の課題を解決すべくなされたものであり、仮設設備に取り付けて使用したときに、仮設設備の内部から冷気或いは暖気の漏れの発生を低減するエアコン据付台、エアコン装置、及びエアコン付仮設設備を提供することにある。
【課題を解決するための手段】
【００１１】
本発明の第一の態様に係るエアコン据付台は、接地面に設置すると、前記接地面と略平行な平面部が形成されるベース部と、前記ベース部に接続され、上下方向の上側と、前記上下方向と直交する方向である幅方向に延びる立設部と、前記ベース部、又は前記立設部に繋がる袖部を備え、前記ベース部は、前後方向の前側にエアコン室外機を据付可能であり、前記立設部は、前記前後方向の後側にエアコン室内機を据付可能であり、前記ベース部に前記エアコン室外機が据付けられたとき、前記エアコン室外機と前記立設部との間に、前記ベース部の上側面を下端とし前記上下方向の上側が開放された前記幅方向に延びる溝部が形成され、前記袖部は、前記ベース部における前記幅方向の一方の側と他方の側にあり、前記立設部に沿う方向であって、前記幅方向と前記上下方向とに延びる袖面が形成され、前記袖部は、前記上下方向において、上側の第一袖端部が前記ベース部の前記上側面以上の高さであり、下側の第二袖端部が前記ベース部の前記上側面よりも下側であって前記接地面に接触するか或いは前記接地面に近接し、前記袖部は、前記幅方向において、第三袖端部は前記ベース部の前記幅方向の端部に接触するか或いは近接し、第四袖端部は前記ベース部の前記幅方向の端部から遠ざかる方向に所定の長さで延び、前記袖面は、前記前後方向において、前記立設部の後側と前記溝部が形成されたときの前記溝部の前側との間に位置することを特徴とする。
【００１２】
これによれば、エアコン据付台は、ベース部、又は立設部に繋がる袖部を備え、袖部は、ベース部における幅方向の一方の側と他方の側にあり、立設部に沿う方向であって、幅方向と上下方向とに延びる袖面が形成される。よって、エアコン室外機とエアコン室内機が据え付けられたエアコン据付台を仮設設備に取り付け、溝部に仮設設備の隔壁部が挿入されたとき、袖部によりベース部と隔壁部との間に発生する隙間が覆われる。仮設設備に取り付けたときに、エアコン据付台と隔壁部との間に生じる隙間の発生を防ぐエアコン据付台を提供することができる。
【００１３】
また、前記エアコン据付台は、前記立設部における前記前後方向の前側に近接し、前記ベース部の前記上側面、又は前記立設部の前記前側に樋部が備えられ、前記樋部は、前記ベース部の前記上側面よりも前記上下方向の上側にあって、前記立設部に沿って前記幅方向に延び、少なくとも一部は前記前後方向における断面がコの字状に形成され、前記袖部は、前記樋部の前記幅方向における端部と接続されてもよい。
【００１４】
この場合、エアコン据付台は溝部に樋部が備えられるので、仮設設備にエアコン据付台が取り付けられて隔壁部が溝部に挿入されたとき、隔壁部下端が前後方向に移動することが規制される効果がある。
【００１５】
また、前記エアコン据付台は、前記袖部が、前記樋部と接続される袖部接続部を備え、前記袖部接続部と、前記袖面のうち、前記第三袖端部と前記第二袖端部は、前記前後方向における断面がコの字状に形成されてもよい。
【００１６】
この場合、袖部は、樋部と接続される袖部接続部から第三袖端部、第二袖端部さらに第四袖端部に至るまで断面がコの字状に形成されている。よって、仮設設備にエアコン据付台が取り付けられて隔壁部が溝部に挿入されたとき、隔壁部下端が前後方向に移動することが規制される効果がある。
【００１７】
また、前記エアコン据付台は、前記袖部が、前記ベース部、又は前記立設部に対して着脱可能であり、前記袖部は、前記立設部に取り付けられる袖部取付部を備え、前記立設部は、前記前後方向の前側に前記袖部を取り付ける補助取付部を備え、前記袖部は、前記補助取付部に取り付けられたとき、前記幅方向において前記立設部の内部に収まってもよい。
【００１８】
この場合、袖部は幅方向において立設部の内部に収まる状態で補助取付部に取り付けることができるので、エアコン据付台を移動するとき、或いは収納するときに袖部が立設部からはみ出さずコンパクトになるという効果がある。
【００１９】
また、前記エアコン据付台は、前記ベース部又は前記立設部の少なくとも一方がアルミ製の角材による枠組みと、前記枠組みの表面に取り付けられた磁性材料を含むプレートによって形成されてもよい。
【００２０】
この場合、エアコン据付台のベース部又は立設部の少なくとも一方の枠組みが、アルミ製の角材で形成されるので、軽量化を実現できる。また、枠組みの表面は磁性材料を含むプレートが取り付けられるので、磁性体を含む部材と引き合うことができる。
【００２１】
また、前記エアコン据付台は、前記ベース部の前記上下方向の下側にキャスター部を備え、前記ベース部は、前記前後方向における前記袖面の位置よりも後側において、前記幅方向の端部と前記前後方向の後側の端部に袴部が形成され、前記袴部は、前記ベース部の前記上下方向における下端部と前記接地面との間の隙間を塞ぐように、前記ベース部から前記接地面に向かって延びるよう形成されてもよい。
【００２２】
この場合、袴部は、ベース部の上下方向における下端部と接地面との間の隙間を塞ぐので、仮設設備にエアコン据付台を取り付けたときにベース部の下側と接地面との隙間の発生を防ぐことができるという効果がある。
【００２３】
本発明の第二の態様に係るエアコン装置は、前記エアコン据付台と、前記エアコン据付台の前記ベース部において、前記前後方向の前側に据え付けられた前記エアコン室外機と、前記エアコン据付台の前記立設部において、前記前後方向の後側に据付けられた前記エアコン室内機と、前記エアコン室外機と前記エアコン室内機とに接続された配管とを備え、前記配管の一端は、前記エアコン室内機における前記幅方向の一方の側に接続され、前記配管の他端は、前記エアコン室外機における前記幅方向の他方の側に接続され、前記配管は、少なくとも一部が前記ベース部の前記上側面よりも下側に通されることを特徴とする。
【００２４】
これによれば、配管は、幅方向の一方の側から他方の側に接続され、さらに少なくとも一部がベース部の上側面よりも下側に通される。よって、配管は、エアコン室外機とエアコン室内機との間を長い経路を経て接続されるので、屈曲部の曲率を大きくすることができる。屈曲部にて曲率が小さくなることによる配管の損傷或いは劣化を防ぐことができる。
【００２５】
本発明の第三の態様に係るエアコン付仮設設備は、前記エアコン装置と、前記エアコン装置が取り付けられる仮設設備からなり、前記仮設設備は、隔壁部を備え、前記隔壁部の前記前後方向の後側に囲われた空間が形成され、前記隔壁部は、前記溝部のうち、前記立設部と前記袖面よりも前記前後方向の前側に挿入され、隔壁部下端と前記ベース部の前記幅方向の端部との間で隙間が形成されたとき、前記隙間は、前記袖部によって覆われることを特徴とする。
【００２６】
これによれば、隔壁部下端とベース部との間に隙間が生じたとき、隙間は袖部によって覆われるので、仮設設備の内部である囲われた空間から、外部に冷気或いは暖気が漏れることを抑止できるエアコン付仮設設備を提供することができる。
【００２７】
本発明の第四の態様に係るエアコン付仮設設備は、前記エアコン装置と、前記エアコン装置が取り付けられる仮設設備からなり、前記仮設設備は、隔壁部と、前記隔壁部の一部に開閉部を備え、前記隔壁部の前記前後方向の後側に囲われた空間が形成され、前記開閉部が開かれたときに開口部が形成され、前記開口部は、前記幅方向に所定の長さを有し、前記上下方向において前記接地面から前記上下方向の上側に向かって所定の高さを有し、前記開口部の前記幅方向における長さは、前記立設部の前記幅方向の長さよりも長く、前記袖部における二つの前記幅方向の端と端とを結ぶ長さよりも短く、前記開口部の前記上下方向の高さは、前記立設部又は前記エアコン室外機よりも高く形成され、前記開閉部は、前記上下方向に開閉可能であり、前記エアコン装置は、前記開閉部が開かれた状態で前記仮設設備に挿入され、前記開閉部は、前記溝部に挿入され、開閉部下端と前記ベース部の前記幅方向の端部、及び前記開口部のうちの前記幅方向の端部との間で隙間が形成されたとき、前記隙間は、前記袖部によって覆われることを特徴とする。
【００２８】
これによれば、エアコン付仮設設備は、開閉部を開くことにより、立設部とエアコン室内機を容易に仮設装置の内部へ挿入することができる。また、開閉部は幅方向において立設部の幅方向よりも広く、袖部における二つの幅方向の端と端とを結ぶ長さよりも短い。開閉部の幅方向の端部は、袖部の範囲内に位置する。開閉部下端とベース部、及び開口部のうちの幅方向の端部との間で隙間が形成されたとき、隙間が袖部によって覆われる。よって、隙間は限定された範囲でのみ形成され、袖部によって覆われるので、仮設設備の内部である囲われた空間から、外部に冷気或いは暖気が漏れることを抑止できる。
【図面の簡単な説明】
【００２９】
【図１】本発明の態様に係るエアコン据付台、エアコン装置、エアコン付仮設設備を示した部分断面図である。
【図２】図１におけるＡ視図である。
【図３】図１におけるＢ視図である。
【図４】図１における断面Ｄ−Ｄであって、袖部５が樋部６に接続された状態を示す図である。
【図５】図１における断面Ｄ−Ｄであって、袖部５が補助取付部３ｃに装着された状態を示す図である。
【図６】図４におけるＧ部詳細図であって、袖部５が樋部６に装着される例を示した部分斜視図であり、（ａ）は袖部５が樋部６に装着される前の状態を示し、（ｂ）は袖部５が樋部６に装着された状態を示した図である。
【図７】図４におけるＧ部詳細図であり、図６とは別の例を示した図であり、袖部５が立設部３の前側に取り付けられる例を示した部分斜視図である。
【図８】ベース部２に袴部７が形成された状態を示す斜視図である。
【図９】エアコン付仮設設備３０、４０の全体を示した部分断面図である。
【図１０】エアコン付仮設設備４０を示した図であり、図９における断面Ｆ−Ｆである。
【図１１】エアコン付仮設設備の従来例を示した部分断面図である。
【図１２】エアコン付仮設設備の従来例を示した図であり、図１１の断面Ｊ−Ｊである。
【発明を実施するための形態】
【００３０】
以下、図面を参照し、本発明を具現化したエアコン据付台１、エアコン装置２０、及びエアコン付仮設設備３０、４０を説明する。参照する図面は、本発明が採用しうる技術的特徴を説明するために用いられるものである。図面に記載されている装置の構成、その他は、それのみに限定する趣旨ではなく、単なる説明例である。図１〜図１０は、本発明のエアコン据付台１、エアコン装置２０、エアコン付仮設設備３０、４０を示したものである。
【００３１】
＜第一の態様に係るエアコン据付台１の構成＞
本発明の第一の態様に係るエアコン据付台１の構成を説明する。図１〜図４に示すように、エアコン据付台１は、接地面Ｌに設置すると、接地面Ｌと略平行な平面部が形成されるベース部２を備える。さらに、ベース部２に接続され、上下方向の上側と、上下方向と直交する方向である幅方向に延びる立設部３と、ベース部２、又は立設部３に繋がる袖部５を備える。なお、図１に示すようにベース部２に対してエアコン室外機２１が据え付けられる側を前後方向の前側（後述する仮設設備３１に取り付けたときに外側となる側）とし、エアコン室内機２２が据え付けられる側を後側３ｅとする。接地面Ｌに対する鉛直方向を上下方向とする。また、幅方向における右と左は、図１におけるＢ視側から見た場合を基準とし、例えば図３では紙面の左が左側となるが、図２では逆になって紙面の左が右側となる。
【００３２】
図１に示すように、ベース部２は、前後方向の前側にエアコン室外機２１を据付可能であり、立設部３は、前後方向の後側３ｅにエアコン室内機２２を据付可能である。ベース部２にエアコン室外機２１が据付けられたとき、エアコン室外機２１と立設部３との間に、ベース部２の上側面２ａを下端とし上下方向の上側が開放された幅方向に延びる溝部４が形成される。
【００３３】
図４、図６、及び図７に示すように、袖部５は、ベース部２における幅方向の一方の側と他方の側にあり、立設部３に沿う方向であって、幅方向と上下方向とに延びる袖面５ａが形成されている。袖部５は、上下方向において、上側の第一袖端部５ｔがベース部２の上側面２ａ以上の高さであり、下側の第二袖端部５ｄがベース部２の上側面２ａよりも下側であって接地面Ｌに接触するか或いは接地面Ｌに近接している。袖部５は、幅方向において、第三袖端部５ｃはベース部２の幅方向の端部２ｃに接触するか或いは近接し、第四袖端部５ｅはベース部２の幅方向の端部２ｃから遠ざかる方向に所定の長さで延びている。袖面５ａは、前後方向において、立設部３の後側３ｅと溝部４が形成されたときの溝部４の前側との間に位置する。
【００３４】
図１に示す例では、袖面５ａは、エアコン室外機２１の吸入口２１ａの位置と立設部３の前側３ａとの間に位置する。なお、図示しないが、袖面５ａは前後方向において、立設部３の前側３ａと後側３ｅとの間にあってもよい。
【００３５】
次に、樋部６を説明する。図１、図４、図５、及び図６に示すように、エアコン据付台１は、立設部３における前後方向の前側３ａに近接し、ベース部２の上側面２ａ、又は立設部３の前側３ａに樋部６が備えられている。樋部６は、ベース部２の上側面２ａよりも上下方向の上側にあって、立設部３に沿って幅方向に延びて形成され、少なくとも一部は前後方向における断面がコの字状に形成されている。袖部５は、樋部６の幅方向における端部６ａと接続される。
【００３６】
さらに詳細に説明すると、図４、図５に示すように、樋部６は幅方向における中心ＣＴに対して対称形状である。すなわち、中心ＣＴの付近で上下方向において最も上側に位置し、中心ＣＴから遠ざかるに従って下側に向かうよう傾斜している。図４、図６に示すように、樋部６は立設部３の前側３ａにネジ１４によって取り付けられている。
【００３７】
図６に示すように、樋部６は、コの字状の形状の内の底部６ｄが、ベース部２の上側面２ａよりも上下方向の上側に位置する。底部６ｄは、ベース部２の上側面２ａと接触していても良いし、上下方向に隙間を設けて接触していなくても良い。底部６ｄは、ベース部２の上側面２ａとは同一高さではないが、後述する隔壁部３２又は開閉部３４が挿入されたときに隔壁部下端３３或いは開閉部３４の開閉部下端３４ａが接触する。なお、樋部６は立設部３に取り付けられる例を示したが、ベース部２の例えば上側面２ａに取り付けられても良い。また、図４、図５では、樋部６のコの字状の形状は、幅方向の全長に渡って形成された例を示したが、コの字形状が一部のみに形成されていても良い。
【００３８】
次に、袖部５の形状を説明する。図６に示すように、樋部６は、ベース部２の上側面２ａとの間に隙間６ｂと、立設部３との間に隙間６ｃがあり、後述する袖部５の袖部接続部５ｂが、隙間６ｂと隙間６ｃに挿入されて樋部６と接続される。
【００３９】
図６に示すように、袖部５は、樋部６と接続される袖部接続部５ｂを備える。袖部接続部５ｂと袖面５ａのうち、第三袖端部５ｃと第二袖端部５ｄは、前後方向における断面がコの字状に形成されている。樋部６は、袖部５の袖部接続部５ｂにおける内側に重なるように接続される。図６は、幅方向において一方側（左側）のみを示しているが、樋部６及び袖部５の他方側（右側）は、中心ＣＴに対して対称の形状である。
【００４０】
次に、エアコン据付台１が使用されない等、袖部５が使用されないときの収納状態について説明する。図５、図６に示すように、袖部５は、ベース部２、又は立設部３に対して着脱可能である。袖部５は、立設部３に取り付けられる袖部取付部５ｆを備え、立設部３は、前後方向の前側３ａに袖部５が取り付けられる補助取付部３ｃを備える。袖部５は、補助取付部３ｃに取り付けられたとき、幅方向において立設部３の内部に収まる。
【００４１】
さらに詳細に説明すると、図５、図６に示すように、袖部５の袖面５ａには２箇所に鍵穴形状の袖部取付部５ｆが形成されている。エアコン据付台１が使用されていない状態では、袖部５は樋部６或いは立設部３から取り外され、袖部取付部５ｆが立設部３の補助取付部３ｃのネジ１７に引っ掛けて取り付けられる。
【００４２】
図５に示すように、袖部５は、幅方向の左右に使用されるため、対称形状に形成された２個で一組である。一組の袖部５を立設部３の補助取付部３ｃに取り付けたとき、幅方向において袖部５は立設部３からはみ出さない寸法で形成されている。
【００４３】
次に、ベース部２及び立設部３の構造を説明する。図１、図２、及び図４に示すように、エアコン据付台１は、ベース部２又は立設部３の少なくとも一方は、アルミ製の角材による枠組み２ｂ、３ｂと、枠組み２ｂ、３ｂの表面に取り付けられた磁性材料を含むプレート１５、１６によって形成されている。プレート１５、１６は、ネジ１４によって枠組み２ｂ、３ｂに締結されている。アルミ製の角材は中空の素材であり、一定の剛性を維持しつつ鉄製よりも軽い。プレート１５、１６は例として、鉄アルミ合金の板、或いは鉄板等が使用される。
【００４４】
さらに詳細に説明すると、図１、図２、及び図４に示すように、ベース部２は、枠組み２ｂが前後方向と幅方向とに複数本備えられて互いに結合され、枠組み２ｂの上下方向の上側にプレート１５が取り付けられている。枠組み２ｂは、エアコン据付台１に必要な剛性に合わせてサイズ或いは本数が設定される。図示しないが、プレート１５は、据え付けられるエアコン室外機２１のサイズあるいは脚の位置によって、枠組み２ｂに対する取付位置が異なってもよいし、或いは枠組み２ｂの外形からはみ出して取り付けられても良い。加えて、プレート１５は枠組み２ｂの下側にも取り付けられても良い。
【００４５】
立設部３も同様に、枠組み３ｂが上下方向と幅方向とに複数本備えられて互いに結合され、枠組み３ｂの前後方向の前側にプレート１６が取り付けられている。加えて、プレート１６が枠組み３ｂの後側にも取り付けられても良い。なお、枠組み２ｂと枠組み３ｂは全てアルミ製の角材で形成される例を示したが、例えば、枠組み２ｂ又は枠組み３ｂのいずれか一方のみがアルミ製の角材でも良いし、又は、枠組み２ｂ又は枠組み３ｂの一部がアルミ製の角材でも良い。
【００４６】
次に、ベース部２における袴部７について説明する。図１、図８に示すように、エアコン据付台１は、ベース部２の上下方向の下側にキャスター部１１を備え、ベース部２は、前後方向における袖面５ａの位置よりも後側において、幅方向の端部２ｃと後側の端部２ｅに袴部７が形成されている。袴部７は、ベース部２の上下方向における下側面２ｄと接地面Ｌとの間の隙間を塞ぐように、ベース部２から接地面Ｌに向かって延びるよう形成されている。
【００４７】
さらに詳細に説明すると、袴部７は、エアコン据付台１がエアコン室外機２１とエアコン室内機２２とが据え付けられてテント等の仮設設備３１に取り付けられたときに、仮設設備３１の床部材３６とベース部２との隙間を塞ぐためのものである。袴部７はベース部２と同様にある程度の剛性を有する金属、樹脂、或いは木材でも良いが、布、フィルムシートのような柔軟性を有する材料で形成しても良い。
【００４８】
なお、使用する仮設設備３１の床部材３６が、折り曲げ或いは巻き上げが可能な場合、床部材３６を袴部７の代用にしても良い。図９に示すように、床部材３６は、袖部５の前後方向の後側に沿わせながらベース部２の下側面２ｄに接触されるように折り曲げることで、ベース部２と接地面Ｌとの間の隙間を覆ってもよい。
【００４９】
次に、エアコン据付台１の他の部分の構成を説明する。図１、図３、及び図９に示すように、エアコン据付台１はベース部２における前後方向の前側の端に支柱１２を備える。支柱１２は、エアコン据付台１を押して移動させるためのものであり、ベース部２に取り付けられた上下方向に２本の縦支柱１２ａと、縦支柱１２ａの上側の端部に接続された横支柱１２ｂからなる。支柱１２は、エアコン室外機２１から排出される空気の流れを妨げないように、エアコン室外機２１の前後方向の前側が開放されている。
【００５０】
また、図示しないが、ベース部２にはエアコン室外機２１を据え付けるための固定部である、例えばネジ穴、取り付けねじ、取り付け板等の必要な部材が備えられているか、或いは加工がなされている。立設部３も同様に、エアコン室内機２２を据え付けるために必要な部材が備えられているか、或いは加工がなされている。
【００５１】
次に、袖部５の別の例を説明する。エアコン据付台１は、袖部５において、図７に示すような別の例も可能である。図６に示す例では、樋部６に対して袖部５の袖部接続部５ｂが接続される例を示したが、図７に示す例では、樋部６が無く袖部接続部５ｂは立設部３の前側３ａに直接ネジ１４によって締結される。さらに、袖部５は、図６に示すように、ベース部２における幅方向の端部２ｃに接触するか或いは近接する第三袖端部５ｃと、接地面Ｌに接触するか或いは接地面Ｌに近接する第二袖端部５ｄは、前後方向における断面がコの字状ではなく平面であっても良い。また、図７に示す例では樋部６を備えないが、樋部６があってもよい。この場合でも、袖部５によりベース部２と隔壁部３２との間に発生する隙間が覆われる。
【００５２】
＜第一の態様に係るエアコン据付台１の課題と発明の効果＞
以上説明したエアコン据付台１は、種々の課題を解決しその効果を奏する。エアコン室外機とエアコン室内機を一体に据え付け可能な従来のエアコン据付台は、テント等の仮設設備に設置すると次の課題がある。すなわち、従来のエアコン据付台は、仮設設備の隔壁部との間に隙間（例えば、図４に示す隙間Ｇａｐ１を参照）が生じ、仮設設備内の冷気或いは暖気が外部に漏れてしまうという課題がある。
【００５３】
この課題に対し、図１から図８に示すように、エアコン据付台１は、ベース部２、又は立設部３に繋がる袖部５を備える。袖部５は、ベース部２における幅方向の一方の側と他方の側にあり、立設部３に沿う方向であって、幅方向と上下方向とに延びる袖面５ａが形成される。袖部５は、上下方向において、上側の第一袖端部５ｔがベース部２の上側面２ａ以上の高さであり、下側の第二袖端部５ｄがベース部２の上側面２ａよりも下側であって接地面Ｌに接触するか或いは接地面Ｌに近接する。また、袖部５は、幅方向において、第三袖端部５ｃはベース部２の幅方向の端部２ｃに接触するか或いは近接し、第四袖端部５ｅはベース部２の幅方向の端部２ｃから遠ざかる方向に所定の長さで延びる。袖面５ａは、立設部３の後側３ｅと溝部４が形成されたときの溝部４の前側との間に位置する。
【００５４】
よって、エアコン室外機２１とエアコン室内機２２が据え付けられたエアコン据付台１が仮設設備３１に取り付けられ、溝部４に仮設設備３１の隔壁部３２が挿入されたとき、袖部５によりベース部２と隔壁部３２との間に発生する隙間が覆われる。隙間は、例えば、図４に示す略三角形状の隙間Ｇａｐ１（図４の格子状のハッチング部）である。エアコン据付台１は、仮設設備３１に取り付けたときに、エアコン据付台１と隔壁部３２との間に生じる隙間の発生を防ぐことができる。
【００５５】
また、エアコン据付台１は次の改善点がある。すなわち、エアコン据付台１を仮設設備３１に取り付けて溝部４に隔壁部３２が挿入されると、風或いはエアコン室外機２１の吸入口２１ａから空気が吸入されることにより、隔壁部３２が吸入口２１ａを塞いでしまう場合がある。また、雨が降ると、溝部４に雨水が貯まってしまい、仮設設備３１の内部に侵入する場合がある。
【００５６】
これに対し、エアコン据付台１は、立設部３における前後方向の前側３ａに近接して樋部６が備えられている。仮設設備３１にエアコン据付台１が取り付けられ、隔壁部３２が溝部４に挿入されたとき、隔壁部下端３３は樋部６のコの字状の部分に係合する。よって、隔壁部下端３３は、前後方向への移動が規制されるので、隔壁部３２がエアコン室外機２１の吸入口２１ａを塞ぐことを防止する。また、樋部６におけるコの字形状が幅方向の全長に渡って形成されている場合、雨水が樋部６を伝ってベース部２よりも幅方向の外側に排出されるという効果がある。さらに、袖部５が樋部６の幅方向の端部６ａと接続されるので、より雨水の排水がスムーズに行われる効果がある。
【００５７】
また、エアコン据付台１は次の改善点がある。すなわち、エアコン据付台１を仮設設備３１に取り付けて溝部４に隔壁部３２が挿入されると、ベース部２の幅方向の外側において、隔壁部下端３３が風によってあおられる場合がある。或いは溝部４から伝ってきた雨水が外に散乱する場合がある。また、エアコン室外機２１の吸入口２１ａによって空気が吸い込まれるときに、隔壁部３２が同時に吸い込まれて吸入口２１ａが塞がれてしまう場合がある。
【００５８】
これに対し、エアコン据付台１は、袖部５が、樋部６と接続される袖部接続部５ｂから第三袖端部５ｃ、第二袖端部５ｄが第四袖端部５ｅに至るまで断面がコの字状に形成されている。よって、隔壁部下端３３が袖部５に係合することにより、風にあおられたり、或いは吸入口２１ａに吸い込まれることを防止できる。また、樋部６から流れる雨水が袖部５のコの字状の部分に流れるので、雨水が飛散することを抑止する効果がある。
【００５９】
また、エアコン据付台１が袖部５を備える場合、次の改善点がある。すなわち、袖部５はベース部２よりも幅方向において突出する構成となるため、エアコン据付台１を使用しないとき、或いは収納時に邪魔になる場合がある。
【００６０】
これに対し、エアコン据付台１は、袖部５が幅方向において立設部３の内部に収まる状態で補助取付部３ｃに取り付けることができる。よって、エアコン据付台１は、移動するとき或いは収納するときに袖部５が幅方向において立設部３からはみ出さずコンパクトになるという効果がある。
【００６１】
また、エアコン据付台１は次の改善点がある。すなわち、エアコン据付台１が鉄製材料等で構成される場合、重量が大きくなり、エアコン室外機２１とエアコン室内機２２を据え付けると移動が困難になる場合がある。また、上述したように、エアコン据付台１を仮設設備３１に取り付けたとき、隔壁部３２が風であおられる場合がある。さらに、エアコン室外機２１の吸入口２１ａが空気を吸い込む際に、隔壁部３２が吸入口２１ａを塞いでしまう場合がある。
【００６２】
これに対し、エアコン据付台１は、ベース部２又は立設部３の少なくとも一方の枠組み２ｂ、３ｂが、アルミ製の角材で形成されるので、軽量化を実現できる。また、枠組み２ｂ、３ｂの表面は磁性材料を含むプレート１５、１６が取り付けられるので、磁性体を含む部材と引き合うことができる。例えば、隔壁部３２（又は開閉部３４）が、マグネットシートを備えるか、或いは磁性体を含む材料で形成されている場合に効果がある。隔壁部３２（又は開閉部３４）は、プレート１５、１６と引き合うことで風にあおられたり、或いは、隔壁部３２（又は開閉部３４）によってエアコン室外機２１の吸入口２１ａが塞がれることを防止する効果がある。
【００６３】
また、エアコン据付台１は次の改善点がある。すなわち、エアコン据付台１は移動を容易にするためにベース部２の下側面２ｄにキャスター部１１が備えられる場合がある。このとき、ベース部２の下側面２ｄと接地面Ｌとの間に隙間が生じると、仮設設備３１に取り付けたときに隙間から冷気或いは暖気が漏れてしまう場合がある。
【００６４】
これに対し、エアコン据付台１は、袴部７が、ベース部２の上下方向における下側面２ｄと接地面Ｌとの間の隙間を塞ぐように、ベース部２から接地面Ｌに向かって延びるよう形成されている。よって、ベース部２の下側面２ｄと接地面Ｌとの隙間から冷気或いは暖気が漏れることを防ぐ効果がある。
【００６５】
＜第二の態様に係るエアコン装置の構成＞
次に、図１、図２を参照して、本発明の第二の態様に係るエアコン装置２０の構成を説明する。エアコン装置２０は、第一の態様に係るエアコン据付台１を使用する。エアコン装置２０は、ベース部２において、前後方向の前側に据え付けられたエアコン室外機２１と、立設部３において、前後方向の後側３ｅに据付けられたエアコン室内機２２と、エアコン室外機２１とエアコン室内機２２とに接続された配管８とを備える。
【００６６】
図２に示すように、配管８の一端は、エアコン室内機２２における幅方向の一方の側（図２では左側）に接続され、配管８の他端は、エアコン室外機２１における幅方向の他方の側（図２では右側）に接続される。配管８は、少なくとも一部がベース部２の上側面２ａよりも下側に通される。
【００６７】
さらに詳細に説明すると、図１に示すように、エアコン室外機２１は、ベース部２の前後方向の前側に寄った位置に据え付けられ、エアコン室外機２１と立設部３との間には、溝部４が形成される。溝部４は、前後方向において仮設設備３１に取り付けられたときに、隔壁部３２を挿入可能な溝部４が形成されている。エアコン室外機２１は、ベース部２に対して、吸入口２１ａが前後方向の後側、排出口２１ｂが前後方向の前側になるよう据え付けられる。エアコン室内機２２は、立設部３の前後方向の後側３ｅであって、上下方向の上側に寄って据え付けられる。エアコン室内機２２の吸入口２２ａは前後方向の後側であり、排出口２２ｂは上下方向の下向きに向かうよう据え付けられる。
【００６８】
図１、図２に示すように、配管８は、エアコン室外機２１から立設部３の枠組み３ｂと枠組み３ｂとの間を通され、ベース部２の上側面２ａよりも下側であって樋部６よりも下側を通される。すなわち、配管８は立設部３の内部を通されるので、配管８が外部に露出する部分が少なくなる。樋部６よりも上側を通すと、仮設設備３１に取り付けたときに隔壁部３２（又は開閉部３４）と干渉するからである。なお、配管８は、ベース部２の下側面２ｄと接地面Ｌとの間を通ってもよい。さらに配管８は、エアコン室外機２１とは幅方向の反対側に引き回されてエアコン室外機２１と接続される。配管８は、エアコン室外機２１とエアコン室内機２２に対して、幅方向の同じ側で接続される場合に比べて長い経路が形成される。
【００６９】
＜第二の態様に係るエアコン装置の課題と発明の効果＞
以上説明したエアコン装置２０は、種々の課題を解決しその効果を奏する。エアコン装置２０は、エアコン室外機２１とエアコン室内機２２を据付可能なエアコン据付台１に据え付けられるので、前後方向の寸法が短く抑えられるのが通常である。その場合、エアコン室内機２２とエアコン室外機２１とを接続する配管８は、前後方向の寸法が場合、短い距離で屈折させながら接続すると屈折するときの曲率が小さくなり、破損しやすくなる場合がある。
【００７０】
これに対し、エアコン装置２０は、エアコン室外機２１とエアコン室内機２２がエアコン据付台１に据え付けられ、配管８は、幅方向の一方の側（図２では左側）から他方の側（図２では右側）に接続される。さらに配管８は、前後方向において、少なくとも一部がベース部２の上側面２ａよりも下側に通される。よって、配管８は、エアコン室外機２１とエアコン室内機２２との間を長い経路を経て接続されるので、屈曲部の曲率を大きくすることができる。屈曲部にて曲率が小さくなることによる配管８の損傷或いは劣化を防ぐことができる。
【００７１】
＜第三及び第四の態様に共通するエアコン付仮設設備３０、４０の構成＞
次に、図１〜図１０を参照して、本発明の第三及び第四の態様に係るエアコン付仮設設備３０、４０における共通の構成を説明する。エアコン付仮設設備３０、４０は、エアコン装置２０と、エアコン装置２０が取り付けられる仮設設備３１からなる。図９〜図１０に示すように、仮設設備３１は一例として屋根が円弧状であって、前後方向の前側と後側は平面状の隔壁部３２からなるテントである。なお、図１０はエアコン付仮設設備４０を示すが、仮設設備３１ｂの外形形状はエアコン付仮設設備３０と共通の形状でもよい。仮設設備３１は、外壁がテント生地で形成され、隔壁部３２は折り曲げ、巻き込み等が可能な素材で形成されている。なお、仮設設備３１はテントを例に説明したが、これに限らない。例えば、外壁が板状の部材で構成された箱状の設備、その他でも良い。
【００７２】
＜第三の態様に係るエアコン付仮設設備３０の構成＞
次に、図１〜図９を参照して、本発明の第三の態様に係るエアコン付仮設設備３０の構成を説明する。エアコン付仮設設備３０は、エアコン装置２０と、エアコン装置２０が取り付けられる仮設設備３１ａからなる。図１、図４、及び図９に示すように、仮設設備３１は、隔壁部３２を備え、隔壁部３２の前後方向の後側に囲われた空間３７が形成される。隔壁部３２は、溝部４のうち、立設部３と袖面５ａよりも前後方向の前側に挿入される。図４に示すように、隔壁部下端３３が樋部６（底部６ｄ）と接触する。樋部６が無い場合は、隔壁部下端３３がベース部２の上側面２ａに接触する。隔壁部下端３３とベース部２の幅方向の端部２ｃとの間で隙間Ｇａｐ１（図４の格子状のハッチング部）が形成されたとき、隙間Ｇａｐ１は、袖部５によって覆われる。
【００７３】
さらに詳細に説明すると、仮設設備３１ａは、例えば図４に示すように隔壁部３２が仮設設備３１の前側の壁部全体であって、特に切り込みがない。その場合、エアコン装置２０は、仮設設備３１ａの隔壁部３２を全体的に上側へまくり上げ、エアコン室内機２２が据え付けられたベース部２の後側を仮設設備３１ａの内部へ挿入する。隔壁部３２は、溝部４へ挿入され、隔壁部下端３３が樋部６（底部６ｄ）又はベース部２の上側面２ａと接触する。さらに幅方向において、隔壁部下端３３は、接地面Ｌ側へ垂れ下がるように接地面Ｌに向かって傾いていく。この場合、隔壁部下端３３とベース部２との間で生じる隙間Ｇａｐ１は略三角形状になる。隙間Ｇａｐ１は、袖部５の袖面５ａの範囲内で形成されるので、袖部５に覆われる。
【００７４】
なお、仮設設備３１ａの外壁が板状の部材で構成されたものの場合、隙間Ｇａｐ１は、幅方向に延びる略長方形状となる。この場合、袖部５は隙間Ｇａｐ１に対応するように、幅方向に長い形状となる。
【００７５】
＜第三の態様に係るエアコン付仮設設備３０の課題と発明の効果＞
以上説明したエアコン付仮設設備３０は、種々の課題を解決しその効果を奏する。従来のエアコン付仮設設備は、エアコン室外機とエアコン室内機が一体に据え付けられたエアコン装置をテント等の仮設設備に設置すると次の課題がある。すなわち、エアコン装置は、仮設設備の隔壁部との間に隙間が生じ、仮設設備内の冷気或いは暖気が外部に漏れてしまうという課題がある。
【００７６】
これに対し、エアコン付仮設設備３０は、隔壁部３２の隔壁部下端３３とベース部２との間に生じる隙間Ｇａｐ１が袖部５によって覆われるので、仮設設備３１の内部である囲われた空間部から、外部に冷気或いは暖気が漏れることを抑止できる。
【００７７】
＜第四の態様に係るエアコン付仮設設備４０の構成＞
次に、図１０を参照して、本発明の第三の態様に係るエアコン付仮設設備３０の構成を説明する。図１０に示すように、エアコン付仮設設備４０は、エアコン装置２０と、仮設設備３１ｂを備える。仮設設備３１ｂは、隔壁部３２と、隔壁部３２の一部に開閉部３４を備え、隔壁部３２の前後方向の後側に囲われた空間３７が形成される。開閉部３４が開かれたときに開口部３５が形成される。開口部３５は、幅方向に所定の長さを有し、上下方向において接地面Ｌから上下方向の上側に向かって所定の高さを有する。開口部３５の幅方向の長さは、立設部３の幅方向の長さよりも長く、袖部５における二つの幅方向の端と端とを結ぶ長さよりも短い。開口部３５の上下方向の高さは、立設部３又はエアコン室外機２１よりも高く形成される。
【００７８】
開閉部３４は、上下方向に開閉可能であり、エアコン装置２０は、開閉部３４が開かれた状態で仮設設備３１ｂに挿入される。開閉部３４は、溝部４に挿入される。具体的には、開閉部３４は溝部４のうちの、立設部３と袖面５ａよりも前後方向の前側に挿入される。図１０に示すように、開閉部下端３４ａが樋部６（底部６ｄ）と接触する。樋部６が無い場合は、開閉部下端３４ａがベース部２の上側面２ａに接触する。開閉部下端３４ａとベース部２の幅方向の端部２ｃ、及び開口部３５のうちの幅方向の端部３５ｂとの間で隙間Ｇａｐ２が形成されたとき、隙間Ｇａｐ２は、袖部５によって覆われる。
【００７９】
図１０を参照して開閉部３４をさらに詳細に説明する。開閉部３４は上下方向に伸縮するか、或いは巻き上げて開閉される。図１０に示すように、立設部３の上側の２点鎖線は、開閉部３４が開放されて上側に巻き上げられた状態を示す。また、ベース部２の上側面２ａと略同一高さに示された２点鎖線は、開閉部３４が閉じられて開閉部下端３４ａがベース部２又は樋部６と接触した状態を示す。開閉部下端３４ａは、上側面２ａよりも幅方向にはみ出している。開閉部３４以外の隔壁部下端３３は、接地面Ｌ或いは袖部５と接触する。袖部５は、開閉部３４の幅方向よりも広い範囲で幅方向に延びているため、開閉部３４とベース部２との間で生じる隙間Ｇａｐ２は袖部５の範囲内である。
【００８０】
＜第四の態様に係るエアコン付仮設設備４０の課題と発明の効果＞
以上説明したエアコン付仮設設備４０は、種々の課題を解決しその効果を奏する。エアコン付仮設設備４０は、第三の態様に係るエアコン付仮設設備３０の課題と共通の課題に加えて、さらに以下の課題を解決する。すなわち、従来のエアコン付仮設設備は、隔壁部下端とベース部との隙間Ｇａｐ１が略三角形状となり、隙間の面積が大きくなる場合がある。例として、図４の隙間Ｇａｐ１のように、幅方向に広がって隙間の面積が大きくなる傾向がある。
【００８１】
これに対し、エアコン付仮設設備４０は、開閉部３４を開くことにより、立設部３とエアコン室内機２２を容易に仮設設備３１の内部へ挿入することができる。また、開口部３５は幅方向において立設部３の幅方向よりも広く、袖部５における二つの幅方向の端と端とを結ぶ長さよりも短い。よって、幅方向において、開口部３５の幅方向の端部３５ｂは袖部５の範囲内に位置する。開閉部３４の開閉部下端３４ａとベース部２、及び開口部３５の幅方向の端部３５ｂと間に生じた隙間Ｇａｐ２が袖部５に覆われので、仮設設備３１の内部である囲われた空間３７から、外部に冷気或いは暖気が漏れることを抑止できる。
【００８２】
さらに、隙間Ｇａｐ２は、開口部３５の幅方向の端部３５ｂによって幅方向の位置が規制されて範囲が小さくなる。よって、隙間Ｇａｐ２を覆うための袖部５を小さくすることができる。袖部５が幅方向に突出する量が小さくなるので、エアコン据付台１がコンパクトになる。また、開閉部３４が板状の部材であって上下方向への伸縮ができない場合でも、開閉部３４を回動させるか或いは着脱する構成とすることも可能である。
【００８３】
＜変形例＞
なお、本発明は上記の実施形態に限定されるものではなく、種々の変更が可能である。例えば、仮設設備３１は例としてテントの場合を説明したが、これに限らない。例えば、剛性のある板状部材によって隔壁部３２が形成されてもよい。仮設設備３１は、種々の形態のものを使用できる。
【符号の説明】
【００８４】
１    エアコン据付台
２    ベース部
２ａ    上側面
２ｂ    枠組み
２ｃ    端部
２ｅ    端部
３    立設部
３ａ    前側
３ｂ    枠組み
３ｃ    補助取付部
３ｅ    後側
４    溝部
５    袖部
５ａ    袖面
５ｂ    袖部接続部
５ｃ    第三袖端部
５ｄ    第二袖端部
５ｅ    第四袖端部
５ｔ    第一袖端部
５ｆ    袖部取付部
６    樋部
６ａ    端部
６ｂ、６ｃ    隙間
７    袴部
８    配管
１１    キャスター部
１５、１６    プレート
２０    エアコン装置
２１    エアコン室外機
２２    エアコン室内機
３０    エアコン付仮設設備
３１、３１ａ、３１ｂ    仮設設備
３２    隔壁部
３３    隔壁部下端
３４    開閉部
３４ａ    開閉部下端
３５    開口部
３５ｂ    端部
３７    空間
４０    エアコン付仮設設備
Ｇａｐ１    隙間
Ｇａｐ２    隙間
Ｌ    接地面
【図１】
2020193718.tif 000003
【図２】
2020193718.tif 000004
【図３】
2020193718.tif 000005
【図４】
2020193718.tif 000006
【図５】
2020193718.tif 000007
【図６】
2020193718.tif 000008
【図７】
2020193718.tif 000009
【図８】
2020193718.tif 000010
【図９】
2020193718.tif 000011
【図１０】
2020193718.tif 000012
【図１１】
2020193718.tif 000013
【図１２】
2020193718.tif 000014